(57)【特許請求の範囲】
【請求項１】
反射型液晶表示素子と、
該反射型液晶表示素子に光を供給する光源と、
該光源から出射された光に含まれる偏光成分のうち、所定の偏光軸を有する第１の偏光を透過させるとともに、該第１の偏光とは異なる偏光軸を有する第２の偏光を遮断する偏光部材と、
該偏光部材を透過した前記第１の偏光を前記反射型液晶表示素子に向けて反射するとともに、前記反射型液晶表示素子から出射された前記第２の偏光を透過させる第１の反射型偏光部材と、
を備えた反射型液晶表示装置において、
前記反射型液晶表示素子の画像表示領域を取り囲む外周領域に、前記第１の偏光を反射するとともに、前記第２の偏光を透過させる第２の反射型偏光部材を配置し、
前記第２の反射型偏光部材を挟んで前記第１の反射型偏光部材と対向する領域に遮光部材を配置したことを特徴とする反射型液晶表示装置。
【請求項２】
前記遮光部材は、前記第２の反射型偏光部材に積層されていることを特徴とする請求項１に記載の反射型液晶表示装置。
【請求項３】
反射型液晶表示素子と、
該反射型液晶表示素子に光を供給する光源と、
該光源から出射された光に含まれる偏光成分のうち、所定の偏光軸を有する第１の偏光を透過させるとともに、該第１の偏光とは異なる偏光軸を有する第２の偏光を遮断する偏光部材と、
該偏光部材を透過した前記第１の偏光を前記反射型液晶表示素子に向けて反射するとともに、前記反射型液晶表示素子から出射された前記第２の偏光を透過させる第１の反射型偏光部材と、
を備えた反射型液晶表示装置において、
前記反射型液晶表示素子の画像表示領域を取り囲む外周領域に、前記第１の偏光を反射するとともに、前記第２の偏光を透過させる第２の反射型偏光部材を配置し、
前記第２の反射型偏光部材は、前記画像表示領域を取り囲む外周領域の全てに配置されていることを特徴とする反射型液晶表示装置。
【請求項４】
反射型液晶表示素子と、
該反射型液晶表示素子に光を供給する光源と、
該光源から出射された光に含まれる偏光成分のうち、所定の偏光軸を有する第１の偏光を透過させるとともに、該第１の偏光とは異なる偏光軸を有する第２の偏光を遮断する偏光部材と、
該偏光部材を透過した前記第１の偏光を前記反射型液晶表示素子に向けて反射するとともに、前記反射型液晶表示素子から出射された前記第２の偏光を透過させる第１の反射型偏光部材と、
を備えた反射型液晶表示装置において、
前記反射型液晶表示素子の画像表示領域を取り囲む外周領域に、前記第１の偏光を反射するとともに、前記第２の偏光を透過させる第２の反射型偏光部材を配置し、
前記反射型液晶表示素子を覆うように配置された筐体を備え、該筐体の内面に、前記第１の偏光を反射するとともに、前記第２の偏光を透過させる第３の反射型偏光部材を配置したことを特徴とする反射型液晶表示装置。
【請求項５】
前記第３の反射型偏光部材は、前記筐体の内面のうち前記反射型液晶表示素子を取り囲む前記筐体の壁面に配置されていることを特徴とする請求項４に記載の反射型液晶表示装置。
【請求項６】
前記筐体は、前記画像表示領域を取り囲む外周領域を覆う突出部を有し、前記第３の反射型偏光部材は、前記筐体の内面のうち前記突出部の表面に配置されていることを特徴とする請求項４又は５に記載の反射型液晶表示装置。
【請求項７】
前記筐体の突出部は、前記画像表示領域を取り囲む外周領域のうち前記偏光部材に隣接する領域を覆うように設けられ、前記第３の反射型偏光部材は、前記筐体の内面のうち、前記画像表示領域を取り囲む外周領域のうち前記偏光部材に隣接する領域を覆うように設けられた前記筐体の突出部の表面に配置されていることを特徴とする請求項６に記載の反射型液晶表示装置。
【発明の詳細な説明】
【技術分野】
【０００１】
本発明は、デジタルカメラなどに用いられる液晶表示装置に関するもので、特に、表示素子が反射型液晶表示素子からなる反射型液晶表示装置に関するものである。
【背景技術】
【０００２】
従来の反射型液晶表示装置にあっては、反射型液晶表示素子の画像の見栄えを良くするために、一般的に反射型液晶表示素子の画像表示領域を取り囲む外周領域の上方部分を覆う金属板等を、その表面に黒色塗装等の遮光処理を施し、遮光部材として設置している。その一方では、太陽光が逆入射して、この遮光部材が熱ダメージを受ける問題があるため、その対策として、遮光部材の入射光に対する表面反射率を２０％以上とする反射型液晶表示装置が提案されている（特許文献１参照）。
【先行技術文献】
【特許文献】
【０００３】
【特許文献１】特開２００３−１６１９１５号公報（第２頁、図１）
【発明の概要】
【発明が解決しようとする課題】
【０００４】
しかしながら、画像の高輝度化や装置の低消費電力化が求められる中で、反射型液晶表示素子の画像表示領域を取り囲む外周領域に金属板等の表面に黒色塗装等の遮光処理を施した遮光部材を配置した従来の反射型液晶表示装置では、遮光部材に入射した光がそこに吸収されてしまうため、光の利用効率が低いという問題がある。それに対し、特許文献１に示す従来の反射型液晶表示装置では、遮光部材の表面反射率が２０％以上に設定されているため、光の利用効率は高いと言えるが、光の乱反射等によってその偏光状態が変化した不要な偏光が遮光部材の表面で反射し、反射型液晶表示素子の画像のコントラストを低下させる問題や、遮光部材の表面状態が見えやすくなり、見栄えが悪くなる問題がある。
【０００５】
本発明の目的は、光源からの光を無駄なく使用して光の利用効率を向上させるとともに、不要な光の発生を抑えて画像のコントラストや見栄えを向上させることが可能な反射型液晶表示装置を提供することである。
【課題を解決するための手段】
【０００６】
本発明の反射型液晶表示装置は、上記目的を達成するために、下記記載の構成を採用するものである。
【０００７】
反射型液晶表示素子と、該反射型液晶表示素子に光を供給する光源と、該光源から出射された光に含まれる偏光成分のうち、所定の偏光軸を有する第１の偏光を透過させるとともに、該第１の偏光とは異なる偏光軸を有する第２の偏光を遮断する偏光部材と、該偏光部材を透過した前記第１の偏光を前記反射型液晶表示素子に向けて反射するとともに、前記反射型液晶表示素子から出射された前記第２の偏光を透過させる第１の反射型偏光部材と、を備えた反射型液晶表示装置において、前記反射型液晶表示素子の画像表示領域を取り囲む外周領域に、前記第１の偏光を反射するとともに、前記第２の偏光を透過させる第２の反射型偏光部材を配置し、前記第２の反射型偏光部材を挟んで前記第１の反射型偏光部材と対向する領域に遮光部材を配置したことを特徴とする。
【０００８】
このような構成によれば、第１の偏光を反射するとともに、第１の偏光とは異なる偏光軸を有する第２の偏光を透過する第２の反射型偏光部材を、画像表示領域を取り囲む外周領域に配置する遮光部材として用いることによって、画像表示領域に第１の偏光を無駄なく照射して光の利用効率を向上させるとともに、光の乱反射等により発生した不要な第２の偏光の影響を低減することによって画像のコントラストや見栄えの向上を図ることが可能となり、乱反射等で発生した第２の偏光が第２の反射型偏光部材を透過しても、遮光部材で吸収されるので、画像のコントラストの向上が図れる。
【００１１】
本発明に係る反射型液晶表示装置は、上記構成に加えて、遮光部材は、第２の反射型偏光部材に積層されていてもよい。
【００１２】
このようにすれば、第２の反射型偏光部材と遮光部材の間から光が漏れること無く、第２の反射型偏光部材を透過した光が吸収されるから画像のコントラストの向上が図れる。
【００１５】
反射型液晶表示素子と、該反射型液晶表示素子に光を供給する光源と、該光源から出射された光に含まれる偏光成分のうち、所定の偏光軸を有する第１の偏光を透過させるとともに、該第１の偏光とは異なる偏光軸を有する第２の偏光を遮断する偏光部材と、該偏光部材を透過した前記第１の偏光を前記反射型液晶表示素子に向けて反射するとともに、前記反射型液晶表示素子から出射された前記第２の偏光を透過させる第１の反射型偏光部材と、を備えた反射型液晶表示装置において、前記反射型液晶表示素子の画像表示領域を取り囲む外周領域に、前記第１の偏光を反射するとともに、前記第２の偏光を透過させる第２の反射型偏光部材を配置し、第２の反射型偏光部材は、画像表示領域を取り囲む外周領域の全てに配置されていることを特徴とする。
【００１６】
このようにすれば、偏光部材から拡散放射した第１の偏光と、第１の反射型偏光部材から反射した第１の偏光が、画像表示領域を取り囲む外周領域を照射しても、その第１の偏光が第２の反射型偏光部材で反射されて、画像表示領域に達するから光の利用効率を向上させることが可能となる。
【００１７】
反射型液晶表示素子と、該反射型液晶表示素子に光を供給する光源と、該光源から出射された光に含まれる偏光成分のうち、所定の偏光軸を有する第１の偏光を透過させるとともに、該第１の偏光とは異なる偏光軸を有する第２の偏光を遮断する偏光部材と、該偏光部材を透過した前記第１の偏光を前記反射型液晶表示素子に向けて反射するとともに、前記反射型液晶表示素子から出射された前記第２の偏光を透過させる第１の反射型偏光部材と、を備えた反射型液晶表示装置において、前記反射型液晶表示素子の画像表示領域を取り囲む外周領域に、前記第１の偏光を反射するとともに、前記第２の偏光を透過させる第２の反射型偏光部材を配置し、反射型液晶表示素子を覆うように配置された筐体を備え、筐体の内面に、第１の偏光を反射するとともに、第２の偏光を透過させる第３の反射型偏光部材を配置したことを特徴とする。
【００１８】
このようにすれば、筐体内面に配置された第３の反射型偏光部材が、偏光部材から拡散放射される第１の偏光と、第１の反射型偏光部材から反射した第１の偏光を反射型液晶表示素子の画像表示領域を照射するように反射して光の利用効率を向上させるとともに、乱反射等で発生した第２の偏光を透過させることで画像のコントラストを向上させることが可能となる。
【００１９】
本発明に係る反射型液晶表示装置は、上記構成に加えて、第３の反射型偏光部材は、筐体の内面のうち反射型液晶表示素子を取り囲む筐体の壁面に配置されていてもよい。
【００２０】
このようにすれば、偏光部材から拡散放射した第１の偏光が筐体の壁面に達したとしても反射型液晶表示素子の画像表示領域を照射するように反射して光の利用効率を向上させることが可能となる。
【００２１】
本発明に係る反射型液晶表示装置は、上記構成に加えて、筐体は、画像表示領域を取り囲む外周領域を覆う突出部を有し、第３の反射型偏光部材は、筐体の内面のうちその突出部の表面に配置されていてもよい。
【００２２】
このようにすれば、偏光部材から拡散放射した第１の偏光が画像表示領域を取り囲む外周領域を覆う突出部に達したとしても反射型液晶表示素子の画像表示領域を照射するように反射して光の利用効率を向上させることが可能となる。
【００２３】
本発明に係る反射型液晶表示装置は、上記構成に加えて、筐体の突出部は、画像表示領域を取り囲む外周領域のうち偏光部材に隣接する領域を覆うように設けられ、第３の反射型偏光部材は、筐体の内面のうち、画像表示領域を取り囲む外周領域のうち偏光部材に隣接する領域を覆うように設けられた筐体の突出部の表面に配置されていてもよい。
【００２４】
このようにすれば、偏光部材から拡散放射した第１の偏光が画像表示領域を取り囲む外周領域のうち偏光部材に隣接する領域を覆う突出部に達したとしても反射型液晶表示素子の画像表示領域を照射するように反射して光の利用効率を向上させることが可能となる。
【発明の効果】
【００２５】
以上のように本発明の反射型液晶表示装置によれば、第１の偏光を反射し、それとは偏光軸の異なる第２の偏光を透過する第２の反射型偏光部材を遮光部材として、反射型液晶表示素子の画像表示領域を取り囲む外周領域を覆って配置することで、反射型液晶表示素子の画像表示領域に第１の偏光を無駄なく照射して光の利用効率を向上させるとともに、光の乱反射等で発生した不要な第２の偏光の影響を低減して、画像の見栄えやコントラストを向上させることが可能となる。
【図面の簡単な説明】
【００２６】
【図１】本発明の反射型液晶表示装置の第１の実施形態の外観を説明するための斜視図である。
【図２】本発明の反射型液晶表示装置の第１の実施形態の構成を説明するための分解斜視図である。
【図３】本発明の反射型液晶表示装置の第１の実施形態を説明するための図１で示した断面Ａ−Ａの断面図である。
【図４】本発明の反射型液晶表示装置の第１の実施形態を説明するための図１で示した断面Ｂ−Ｂの断面図である。
【図５】本発明の反射型液晶表示装置の第２の実施形態を説明するための図３と同様の断面Ａ−Ａの断面図である。
【図６】本発明の反射型液晶表示装置の第３の実施形態の構成を説明するための筐体の部分分解斜視図である。
【図７】本発明の反射型液晶表示装置の第３の実施形態を説明するための図３と同様の断面Ａ−Ａの断面図である。
【図８】本発明の反射型液晶表示装置の第３の実施形態を説明するための図４と同様の断面Ｂ−Ｂの断面図である。
【発明を実施するための形態】
【００２７】
本発明の反射型液晶表示装置は、反射型液晶表示素子の画像表示領域を取り囲む外周領域を覆う遮光部材、いわゆる、見切りとしてのマスクを反射型偏光部材で形成するという点が特徴的な部分である。
【００２８】
以下、図面を用いて本発明の反射型液晶表示装置の３つの実施形態を詳述する。まず、図１から図４を用いて第１の実施形態を説明する。次に、図５を用いて第２の実施形態を説明する。そして、図６から図８を用いて第３の実施形態を説明する。なお、各図において同一の構成部材には同一の番号を付して、重複する説明は省略する。
【００２９】
第１の実施形態では、反射型液晶表示素子の画像表示領域を取り囲む外周領域を覆う遮光部材を反射型偏光部材で形成する反射型液晶表示装置の一例を示す。
第２の実施形態では、反射型液晶表示素子の画像表示領域を取り囲む外周領域を覆う遮光部材が２種類の積層した部材で形成されている反射型液晶表示装置の一例を示す。
第３の実施形態では、反射型液晶表示素子の画像表示領域を取り囲む外周領域のうち偏光部材に隣接する領域を覆う筐体の突出部の表面に反射型偏光部材が配置されている反射型液晶表示装置の一例を示す。
【００３０】
［本発明の反射型液晶表示装置の第１の実施形態の説明：図１〜図４］
まず、図１〜図４を用いて本発明の反射型液晶表示装置の第１の実施形態を説明する。図１は、反射型液晶表示装置の外観の斜視図であり、図２は、反射型液晶表示装置の分解斜視図であり、図３は、図１に示す反射型液晶表示装置の側面方向からの断面Ａ−Ａの断面図であり、図４は、図１に示す反射型液晶表示装置の正面方向からの断面Ｂ−Ｂの断面図である。
【００３１】
図１に示すように、第１の実施形態である反射型液晶表示装置１００は、回路基板１とケース２と第１の反射型偏光板１１を備え、この第１の反射型偏光板１１を透過する光Ｐを上方から瞳ＥＰで観察することで画像を捉えるものである。この光Ｐは、直接瞳ＥＰで見ても良いし、接眼レンズを配置して、それを透して見ても良いし、或いは、スクリーン上に投影してもよい。
【００３２】
図２に示すように、回路基板１には、反射型液晶表示素子３と光源４、そして、この両者を電気的に駆動制御する外部制御回路に接続する不図示のコネクタとＦＰＣが実装されている。なお、反射型液晶表示素子３は、ＬＣＯＳ（Ｌｉｑｕｉｄ  ｃｒｙｓｔａｌ  ｏｎ  ｓｉｌｉｃｏｎ）を使うことが好ましい。
【００３３】
フレーム５は、回路基板１のガイド孔によって位置決めされてシリコーン系の接着剤で固着され、そして、窓部１２１を有する第２の反射型偏光板１２が、反射型液晶表示素子３の上部で、その画像表示領域３１を取り囲む外周領域を覆うマスクを形成して、その裏面に貼られた両面接着テープでフレーム５に固着配置される。特に、リフレクタ６の窓部６１に近い部分にまで一杯にマスクとしての第２の反射型偏光板１２の一部分１２２が配置されていることが望ましい。
【００３４】
リフレクタ６には、拡散板９と偏光板７が重ねてリフレクタ６の窓部６１に配置される。筐体８には、第１の反射型偏光板１１がケース２と筐体８に挟まれることで筐体８の上部の曲面縁部８１に沿うように湾曲させて配置され、第３の反射型偏光板１３、１４が筐体８の内壁８２を含む３面にそれぞれ接着して配置される。上述した第１の反射型偏光板１１、第２の反射型偏光板１２、第３の反射型偏光板１３、１４は、一方の偏光を反射するとともに、それと振動方向（偏光軸）が直交する他方の偏光を透過させる偏光ビームスプリッタと同じ機能を有しており、例えば、ＷＧＦ（ワイヤーグリッド偏光フィルム）を用いるのが好ましいが、誘電体多層膜構造の反射型偏光板、ブロック状の反射型偏光部材、筐体８等の表面に形成した薄膜状の反射型偏光部材でも構わない。特にマスクとして使用する第２の反射偏光板１２に関しては、遮光マスクとしての本来の機能を高めるのであれば、偏光度が高いものを用いて第１の反射型偏光板１１とのコントラストを上げるのが好ましく、光の利用効率を高めるのであれば、光の反射率が高いものを用いるのが好ましい。また、第１の反射偏光板１１に関しては、湾曲させて使用するのであれば、基材としてはＴＡＣフィルム等の薄くて柔軟なフィルムが好ましい。
【００３５】
それぞれ部材が組み込まれたリフレクタ６、筐体８、回路基板１とフレーム５は、リフレクタ６と筐体８がフックで嵌め合わされて一体化された後、ケース２の中に嵌め込まれてフックで固定され一体化される。次に、そのケース２がフレーム５に嵌め合わされフックで固定され一体化されることにより、図１に示す反射型液晶表示装置１００が構成される。
【００３６】
従って、反射型液晶表示装置１００は、光源４の上部にはリフレクタ６が配置され、反射型液晶表示素子３の上部にマスクとして配置された第２の反射型偏光板１２を含めて、筐体８の中に第１の反射型偏光板１１、第３の反射型偏光板１３、１４で囲まれた閉空間が形成される構成であって、リフレクタ６と筐体８をケース２とフレーム５と回路基板１で覆って光の漏れや外光の侵入を防ぐ構造を形成している。
【００３７】
図３に示すように、光源４から出射した大矢印で示す出射光ＯＬは、リフレクタ６により直角方向に向きを変えて反射光ＲＬが拡散板９に入射し均一な拡散光となり偏光板７を透過して大矢印で示す直線偏光Ｓとなる。以後、この直線偏光Ｓを偏光Ｓと記し、偏光Ｓと振動方向が直交する直線偏光を偏光Ｐと記す。
【００３８】
第１の反射型偏光板１１は、上述したように一方の直線偏光を反射するとともに、それと振動方向が直交する他方の直線偏光を透過させる機能、すなわち、大矢印で示す偏光Ｓを反射し、偏光Ｐを透過する偏光ビームスプリッタの機能を有し、その形状は、筐体８の曲面縁部８１（図２参照）に沿って湾曲し一種の凹面鏡を形成している。この第１の反射型偏光板１１の特性と形状によって、偏光板７から拡散放射した偏光Ｓの大半が、反射型液晶表示素子３の画像表示領域３１に入射する設定となっている。更に、この第１の反射型偏光板１１の下に向かっての湾曲形状は、反射型液晶表示装置１００を低背にする特徴も有する。
【００３９】
反射型液晶表示素子３の画像表示領域３１に達した偏光Ｓは、反射型液晶表示素子３を制御する不図示の制御回路（例えば、ＬＣＯＳに内蔵された半導体回路）が反射型液晶表示素子３に所定の光変調動作を行わせることによって光変調され、画像データに応じて大矢印で示す偏光Ｐに変換される。そして、この偏光Ｐが第１の反射型偏光板１１を透過し、ケース２の窓部２１から出射し、画像として瞳ＥＰで観察される光Ｐとなる。出来るだけ多くの偏光Ｓに照射された画像表示領域３１で光変調された偏光Ｐだけ第１の反射型偏光板を透過させ、乱反射等で発生した偏光Ｐを内部で吸収し第１の反射型偏光板を透過させないことが、ノイズのない見栄えの良好な画像を得ることとなる。
【００４０】
第２の反射型偏光板１２は、反射型液晶表示素子３の画像表示領域３１を取り囲む外周領域を覆って配置され、反射型液晶表示素子３の画像表示領域３１の見栄えを良好にする見切りとしてのマスクを形成している。
【００４１】
すなわち、第２の反射型偏光板１２に達する偏光Ｓは、第１の反射型偏光板１１から反射した偏光Ｓと、直接偏光板７から拡散放射した小矢印で示す偏光Ｓがあり、いずれも、第２の反射型偏光板１２で反射されて偏光Ｓのまま第１の反射型偏光板１１に達し、ここでも反射して外部に透過することなく、少なくともその一部が反射型液晶表示素子３の画像表示領域３１を照射するのに利用される。特に、反射型液晶表示素子３の画像表示領域３１を取り囲む外周領域のうち偏光板７に隣接する領域の第２の反射型偏光板１２の一部分１２２を直接照射する偏光板７からの偏光Ｓは、上部に向かって反射されやすく、第１の反射型偏光板１１で再反射されて画像表示領域３１に入射しやすく、光の利用効率の向上に寄与する。
【００４２】
そして、筐体８の閉空間で光の乱反射による偏光Ｐが発生したとしても、第２の反射型偏光板１２を透過した偏光Ｐは、閉空間の外で反射型液晶表示素子３の外周部、フレーム５、回路基板１の表面等に吸収され、第１の反射型偏光板１１に達することはなく、画像のコントラストや見栄えは良好になる。
【００４３】
偏光板７に対面する筐体８の内壁には、第３の反射型偏光板１４が配置されている。この第３の反射型偏光板１４は、上述した第１の反射型偏光板１１と同様の特性を有し、偏光板７から出射し第３の反射型偏光板１４に達した小矢印で示す偏光Ｓは、全て反射され、反射型液晶表示素子３の画像表示領域３１を照射することに寄与し、光の利用効率が向上する。
【００４４】
図４に示すように、筐体８の左右の内壁８２には、それぞれ第３の反射型偏光板１３が配置されている。この第３の反射型偏光板１３は、偏光板７から拡散放射し第３の反射型偏光板１３に達した小矢印で示す偏光Ｓを全て反射して、反射型液晶表示素子３の画像表示領域３１を照射することに寄与し、光の利用効率が向上する。
【００４５】
すなわち、第１の反射型偏光板１１、第２の反射型偏光板１２、第３の反射型偏光板１３、１４で囲まれた閉空間に偏光板７から拡散放射した偏光Ｓは、反射型液晶表示素子３の画像表示領域３１を照射することに使われる以外は全て内部で反射され、少なくともその一部が画像表示領域３１を照射する偏光Ｓとして利用される。そして、画像表示領域３１で光変調されて出射した偏光Ｐだけが、第１の反射型偏光板１１を透過して、瞳ＥＰに画像として観察される。また、閉空間の中で光が乱反射して偏光Ｐになったとしても、閉空間の大部分を占める第２の反射型偏光板１２、第３の反射型偏光板１３、１４には偏光Ｐが透過し閉空間の外で吸収されて、第１の反射型偏光板１１を透過し出射することがほとんどない。従って、光の利用効率が向上した、画像のコントラストや見栄えの良好な反射型液晶表示装置１００が提供可能となる。
【００４６】
［本発明の反射型液晶表示装置の第２の実施形態の説明：図５］
次に、図５を用いて、本発明の反射型液晶表示装置の第２の実施形態を説明する。図５は、先に説明した第１の実施形態の図３と同様の反射型液晶表示装置の断面Ａ−Ａの断面図で、第２の実施形態を説明するための断面図である。なお、各図において同一の構成部材には同一の番号を付して、重複する説明は省略する。
【００４７】
第２の実施形態である反射型液晶表示装置２００は、反射型液晶表示素子３の画像表示領域３１を取り囲む外周領域を覆うマスクが、２種類の積層した部材で形成されている点が第１の実施形態と異なるだけで、それ以外の構成については同じである。
【００４８】
図５に示すように、反射型液晶表示素子３の上部には画像表示領域３１を取り囲む外周領域を覆う積層された遮光部材が配置されている。この積層された遮光部材の構成として、反射型液晶表示素子３の直ぐ上部には遮光板１６、例えば、黒色塗装した金属薄板が配置され、そして、その上に第２の反射型偏光板１２が配置される。言い換えると、遮光板１６は、第２の反射型偏光板１２を挟んで第１の反射型偏光板１１と対向する領域に配置されている。なお、遮光板１６は反射型偏光板１２と積層できればかまわないので、黒色塗装した金属薄板以外にも黒色フィルムやＬＣＯＳのガラス基板上に直接形成した印刷樹脂マスク等を自由に選択することができる。
【００４９】
第２の反射型偏光板１２と遮光板１６を積層することによって、その間から光が漏れること無く、そして、筐体８の内部で光が乱反射し偏光Ｐが発生したとしても、その偏光Ｐは第２の反射型偏光板１２を透過して遮光板１６に吸収されるため、画像のコントラストや見栄えが良好な反射型液晶表示装置２００が提供可能となる。
【００５０】
すなわち、第２の反射型偏光板１２を透過した偏光Ｐを吸収する遮光板１６を配置することで、不要な偏光Ｐを確実に吸収することが可能で、画像のコントラストや見栄えが一層良好な反射型液晶表示装置２００が提供可能となる。更に、第３の反射型偏光板１３、１４が配置される筐体８の内壁も、第３の反射型偏光板１３、１４を透過した偏光Ｐを吸収する材質、色にしたり、その表面に遮光板１６と同様な遮光部材を配置したりすれば、画像のコントラストや見栄えがより一層良好となる。
【００５１】
［本発明の反射型液晶表示装置の第３の実施形態の説明：図６〜図８］
次に、図６〜図８を用いて、本発明の反射型液晶表示装置の第３の実施形態を説明する。第１の実施形態と異なるところは、偏光板７と第２の反射型偏光板１２の隣接部分で筐体８に突出部８３を形成して第２の反射型偏光板１２の外周部を覆う庇となし、そして、その突出部８３の表面に第３の反射型偏光板１５を配置した点である。
【００５２】
図６は、図２に示す反射型液晶表示装置の分解斜視図のうち筐体とそこに配置される反射型偏光板をピックアップした部分分解斜視図である。図７は、先に説明した第１の実施形態の図３と同様の断面Ａ−Ａの断面図である。図８は、先に説明した第１の実施形態の図４と同様の断面Ｂ−Ｂの断面図である。なお、各図において同一の構成部材には同一の番号を付して、重複する説明は省略する。
【００５３】
図６に示すように、第３の実施形態では、リフレクタ６（図２参照）からの偏光Ｓが入射する筐体８の窓枠の下側部分（梁）に庇のように突出部８３が一体的に設けられ、この突出部８３の上部表面に第３の反射型偏光板１５が配置されている。従って、筐体８には、上部に第１の反射型偏光板１１と、内壁に第３の反射型偏光板１３、１４と、突出部８３に第３の反射型偏光板１５が配置される。
【００５４】
図７に示すように、第３の実施形態である反射型液晶表示装置３００において、筐体８の突出部８３は、偏光板７に隣接する領域にあって、画像表示領域３１を取り囲む外周領域に配置された第２の反射型偏光板１２の外周部を覆う庇のように形成されている。これは、第２の反射型偏光板１２とフレーム５の境目を隠し、その隙間などからゴミの発生や移動をなくすとともに、第２の反射型偏光板１２の浮きを防ぐ効果を有するものである。そして、突出部８３の表面に第３の反射型偏光板１５が配置されている。
【００５５】
図３で説明した第１の実施形態と同様に、光源４から出射した出射光ＯＬは、拡散板９に入射し均一な拡散光となり偏光板７を透過して偏光Ｓとなって筐体８の閉空間に出射する。第１の実施形態と異なるところは、偏光板７に最も近接する領域の突出部８３に配置されている第３の反射型偏光板１５で偏光板７から拡散放射した偏光Ｓを反射することである。第３の反射型偏光板１５に直接入射した偏光板７からの偏光Ｓは、第３の反射型偏光板１５で上部に向かって反射されやすく第１の反射型偏光板１１に再反射されて、画像表示領域３１に達し、光の利用効率の向上に寄与する。
【００５６】
図８に示すように、反射型液晶表示装置３００においては、図４の第１の実施形態と同様に、第１の反射型偏光板１１、第２の反射型偏光板１２、第３の反射型偏光板１３、１４で囲まれた閉空間に偏光板７から拡散放射した偏光Ｓは、反射型液晶表示素子３の画像表示領域３１を照射し、それ以外の偏光Ｓは全て閉空間の内部で小矢印の偏光Ｓように再び反射され、画像表示領域３１を照射する偏光Ｓとして再利用される。
【００５７】
更に、突出部８３の表面に筐体８の左右の内壁８２に達する長さで配置された第３の反射型偏光板１５は、偏光板７の最も近傍に配置されて第１の反射型偏光板１１に向けて偏光Ｓを反射して、それが第１の反射型偏光板１１で再反射されて画像表示領域３１を照射し、光の利用効率の向上に寄与する。
【００５８】
そして、画像表示領域３１で光変調されてそこから出射した大矢印で示す偏光Ｐだけが、第１の反射型偏光板１１を透過して、瞳ＥＰに画像として観察される。閉空間の中で光が乱反射して偏光Ｐになったとしても、閉空間の大部分を占める第２の反射型偏光板１２、第３の反射型偏光板１３、１４、１５は偏光Ｐを透過し閉空間の外で反射型液晶表示素子３の外周部、フレーム５、回路基板１の表面等に吸収されて、第１の反射型偏光板１１を透過し出射することなく、画像のコントラストや見栄えの良好な反射型液晶表示装置３００が提供可能となる。
【００５９】
なお、本発明は、上述した反射型液晶表示装置の実施例に限定されることはなく、それらの全ての構成を備える必要もなく、本発明の趣旨を逸脱しない範囲で種々に変更や省略をすることが出来ることは言うまでもない。
【符号の説明】
【００６０】
１  回路基板
２  ケース
３  反射型液晶表示素子
４  光源
５  フレーム
６  リフレクタ
７  偏光板
８  筐体
９  拡散板
１１  第１の反射型偏光板
１２  第２の反射型偏光板
１３、１４、１５  第３の反射型偏光板
１６  遮光板
２１、６１，１２１  窓部
３１  画像表示領域
８１  曲面縁部
８２  内壁
８３  突出部
１００、２００、３００  反射型液晶表示装置
【図１】
0006680561.tif 000002
【図２】
0006680561.tif 000003
【図３】
0006680561.tif 000004
【図４】
0006680561.tif 000005
【図５】
0006680561.tif 000006
【図６】
0006680561.tif 000007
【図７】
0006680561.tif 000008
【図８】
0006680561.tif 000009